(57)【要約】【課題】本発明の課題は、複数の利用者による情報処理装置の利用を防止するシステム、および、その方法を提供することである。【解決手段】利用開始情報の入力を受け付けて、監視依頼を、監視サーバ装置に発行して、不正利用防止指示の返信を受け付けて、入出力操作を禁止する情報処理装置と、監視依頼を受け付けて、映像データ送信要求を、ネットワークカメラに、発行して、監視映像データの返信を受け付けて、利用者人数認識処理をして、認識した人数が2名以上であったら、不正利用防止指示を、情報処理装置に、発行する監視サーバ装置と、監視サーバ装置から、映像データ送信要求を受け付けて、画像を撮像して、監視映像データを作成して、返信するネットワークカメラと、が、ネットワーク接続されて構成される利用者監視システムである。【選択図】図１
2007334618.tif 000002
【特許請求の範囲】
【請求項１】
情報処理装置と監視サーバ装置とネットワークカメラとが、ネットワーク接続されて構成される利用者監視システムにおいて、
前記情報処理装置は、
利用開始情報の入力を受け付ける利用開始情報受付手段と、
監視依頼を、監視サーバ装置に、発行する監視依頼手段と、
監視サーバ装置から、不正利用防止指示を受け付けて、入出力操作を禁止する不正利用防止手段と、
を備える処理装置であって、
前記監視サーバ装置は、
情報処理装置から、監視依頼を受け付ける監視依頼受付手段と、
映像データ送信要求を、ネットワークカメラに、発行する映像データ送信要求手段と、
ネットワークカメラから、監視映像データを受信する監視映像データ受信手段と、
前記受信した監視映像データを用いて、利用者人数認識処理をして、認識された利用者人数情報を作成する利用者人数認識処理手段と、
前記認識された利用者人数情報の値が、２以上であれば、不正利用防止指示を、情報処理装置に、発行する不正利用防止指示手段と、
を備えるサーバ装置であって、
前記ネットワークカメラは、
監視サーバ装置から、映像データ送信要求を受け付ける映像データ送信要求受付手段と、
画像を撮像して、画像データを画像メモリに保持する撮像手段と、
画像メモリに保持された画像データを読み出して、監視映像データを作成する監視映像データ作成手段と、
前記作成された監視映像データを、監視サーバ装置に、送信する監視映像データ送信手段と、
を備えるカメラである、
ことを特徴とする利用者監視システム。
【請求項２】
利用開始情報の入力を受け付けて、監視依頼を、発行する監視依頼ステップと、
情報処理装置から、監視依頼を受け付けて、映像データ送信要求を、発行する映像データ送信要求ステップと、
映像データ送信要求を受け付けて、監視映像データを作成して、送信する監視映像データ作成送信ステップと、
監視映像データを受信して、利用者人数認識処理をして、認識された利用者人数情報を作成する利用者人数認識処理ステップと、
前記認識された利用者人数情報の値が２以上であれば、不正利用防止指示を、情報処理装置に、発行する不正利用防止指示ステップと、
不正利用防止指示を受け付けて、入出力操作を禁止する不正利用防止ステップと、
を含んだ手順でなされることを特徴とする利用者監視方法。
【請求項３】
コンピュータに組込むことによって、コンピュータを請求項１に記載の利用者監視システムとして動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、複数の利用者による情報処理装置（たとえば、パソコン）の利用を防止するシステム、および、その方法に関するものである。
【０００２】
従来から、機密管理の観点から、情報処理装置を複数で利用させない工夫が執られている。
【背景技術】
【０００３】
たとえば、特許文献１では、表示画面に、覗き見防止のフィルムを貼り付けて、表示された機密情報を、画面の斜めから覗き込みができないようにする技術が開示されている。（従来技術１）
【特許文献１】特開２００２−３２８２０６号公報
【発明の開示】
【発明が解決しようとする課題】
【０００４】
ところで、従来技術１では、背後からの画面の盗み見などにおいて必ずしも効果的でないという問題点があった。
さらに、利用者が意図して不適な人物を引き入れて、画面を覗かせることを防止することは不可能であるという欠点があった。
【０００５】
本発明はこのような従来技術を考慮してなされたものであって、本発明の課題は、複数の利用者による情報処理装置の利用を防止するシステム、および、その方法を提供することである。
【課題を解決するための手段】
【０００６】
本発明は、以下のような解決手段により、前記課題を解決する。すなわち、請求項１の発明は、情報処理装置と監視サーバ装置とネットワークカメラとが、ネットワーク接続されて構成される利用者監視システムにおいて、前記情報処理装置は、利用開始情報の入力を受け付ける利用開始情報受付手段と、監視依頼を、監視サーバ装置に、発行する監視依頼手段と、監視サーバ装置から、不正利用防止指示を受け付けて、入出力操作を禁止する不正利用防止手段と、を備える処理装置であって、前記監視サーバ装置は、情報処理装置から、監視依頼を受け付ける監視依頼受付手段と、映像データ送信要求を、ネットワークカメラに、発行する映像データ送信要求手段と、ネットワークカメラから、監視映像データを受信する監視映像データ受信手段と、前記受信した監視映像データを用いて、利用者人数認識処理をして、認識された利用者人数情報を作成する利用者人数認識処理手段と、前記認識された利用者人数情報の値が、２以上であれば、不正利用防止指示を、情報処理装置に、発行する不正利用防止指示手段と、を備えるサーバ装置であって、前記ネットワークカメラは、監視サーバ装置から、映像データ送信要求を受け付ける映像データ送信要求受付手段と、画像を撮像して、画像データを画像メモリに保持する撮像手段と、画像メモリに保持された画像データを読み出して、監視映像データを作成する監視映像データ作成手段と、前記作成された監視映像データを、監視サーバ装置に、送信する監視映像データ送信手段と、を備えるカメラである、ことを特徴とする利用者監視システムである。
【０００７】
ここで、情報処理装置が、不正利用防止指示を受け付けて、入出力操作を禁止する方法には、スクリーンロックや、ユーザアクセス操作の遮断や表示画面への警告表示などがある。
【０００８】
請求項２の発明は、利用開始情報の入力を受け付けて、監視依頼を、発行する監視依頼ステップと、情報処理装置から、監視依頼を受け付けて、映像データ送信要求を、発行する映像データ送信要求ステップと、映像データ送信要求を受け付けて、監視映像データを作成して、送信する監視映像データ作成送信ステップと、監視映像データを受信して、利用者人数認識処理をして、認識された利用者人数情報を作成する利用者人数認識処理ステップと、前記認識された利用者人数情報の値が２以上であれば、不正利用防止指示を、情報処理装置に、発行する不正利用防止指示ステップと、不正利用防止指示を受け付けて、入出力操作を禁止する不正利用防止ステップと、を含んだ手順でなされることを特徴とする利用者監視方法である。
【０００９】
請求項３の発明は、コンピュータに組込むことによって、コンピュータを請求項１に記載の利用者監視システムとして動作させるコンピュータプログラムである。
【００１０】
請求項４の発明は、請求項３に記載のコンピュータプログラムを記録したコンピュータ読取り可能な記録媒体である。
【発明の効果】
【００１１】
本願発明によれば、背後からの画面の盗み見を防止することが可能である。また、利用者が意図して不適な人物を引き入れて、画面を覗かせることを防止することを防止することができる。
【発明を実施するための最良の形態】
【００１２】
（実施例）
以下、図面等を参照しながら、本発明の実施の形態について、更に詳しく説明する。図１は、利用者監視システムの概要を説明する図である。利用者監視システム１は、情報処理装置１００と監視サーバ装置３００とネットワークカメラ５００とが、ネットワーク接続されて構成される。
【００１３】
情報処理装置１００は、パソコンや、ネットワーク端末装置である。
【００１４】
図２は、利用者監視システム１の大まかな処理の流れを説明する。
情報処理装置１００は、利用開始情報（＝ログイン）の入力を受け付ける（図２（１））。情報処理装置１００は、監視サーバ装置３００に、監視依頼を発行する（同（２））。
【００１５】
監視サーバ装置３００は、情報処理装置１００から、監視依頼を受け付ける（同（３））。監視サーバ装置３００は、ネットワークカメラ５００に、映像データ送信要求を発行する（同（１１））。
【００１６】
ネットワークカメラ５００は、監視サーバ装置３００から、映像データ送信要求を受け付ける（同（１２））。ネットワークカメラ５００は、監視映像データを作成して、監視サーバ装置３００に、送信する（同（１３））。
【００１７】
監視サーバ装置３００は、ネットワークカメラ５００から、監視映像データを受信する（同（１４））。
【００１８】
監視サーバ装置３００は、監視映像データを用いて、利用者人数認識処理をする（同（２１））。監視サーバ装置３００は、認識された利用者人数が、２人以上であれば、情報処理装置１００に、不正利用防止指示を発行する（同（２２））。
【００１９】
情報処理装置１００は、監視サーバ装置３００から、不正利用防止指示を受け付けて、入出力操作を禁止（たとえば、画面ロック）する（同（２３））。
【００２０】
なお、入出力操作を禁止する方法には、画面ロックの他に、マウスやキーボードの操作情報の受付禁止や、表示画面への警告の表示や、情報処理装置１００から、ネットワークへのアクセスの禁止などがある。
【００２１】
図３は、利用者監視システム１の詳細な構成図である。
利用者監視システム１は、情報処理装置１００と監視サーバ装置３００とネットワークカメラ５００とが、ネットワーク接続されて構成される。
【００２２】
情報処理装置１００は、利用開始情報受付手段１１０と、監視依頼手段１２０と、不正利用防止手段１６０と、を備える。
【００２３】
利用開始情報受付手段１１０は、利用開始情報の入力を受け付ける。監視依頼手段１２０は、監視依頼を、監視サーバ装置に、発行する。
【００２４】
不正利用防止手段１６０は、監視サーバ装置から、不正利用防止指示を受け付けて、入出力操作を禁止する。
【００２５】
前記監視サーバ装置３００は、監視依頼受付手段３２０と、映像データ送信要求手段３３０と、監視映像データ受信手段３４０と、利用者人数認識処理手段３５０と、不正利用防止指示手段３６０と、を備える。
【００２６】
監視依頼受付手段３２０は、情報処理装置から、監視依頼を受け付ける。映像データ送信要求手段３３０は、映像データ送信要求を、ネットワークカメラに、発行する。
【００２７】
監視映像データ受信手段３４０は、ネットワークカメラから、監視映像データを受信する。
【００２８】
利用者人数認識処理手段３５０は、監視映像データを用いて、利用者人数を認識して、利用者人数情報を作成する。
【００２９】
不正利用防止指示手段３６０は、前記作成された利用者人数情報の値が、２以上であれば、不正利用防止指示を、情報処理装置１００に、発行する。
【００３０】
ネットワークカメラ５００は、撮像手段５１０と、作成手段５２０と、映像データ送信要求受付手段５３０と、監視映像データ送信手段５４０と、を備える。
【００３１】
映像データ送信要求受付手段５３０は、監視サーバ装置から、映像データ送信要求を受け付ける。
【００３２】
撮像手段５１０は、画像を撮像して、画像データを画像メモリに保持する。
監視映像データ作成手段５２０は、画像メモリに保持された画像データを読み出して、監視映像データを作成する。
【００３３】
監視映像データ送信手段５４０は、前記作成された監視映像データを、監視サーバ装置に、送信する。
【００３４】
利用開始情報受付手段１１０と、監視依頼手段１２０と、不正利用防止手段１６０と、監視依頼受付手段３２０と、映像データ送信要求手段３３０と、監視映像データ受信手段３４０と、利用者人数認識処理手段３５０と、不正利用防止指示手段３６０と、作成手段５２０と、映像データ送信要求受付手段５３０と、監視映像データ送信手段５４０と、は、コンピュータプログラムである。
撮像手段５１０は、ＣＣＤである。
【００３５】
以上詳しく説明したように、本願発明によれば、背後からの画面の盗み見を防止することが可能となった。また、利用者が意図して不適な人物を引き入れて、画面を覗かせることを防止することを防止することができた。
【図面の簡単な説明】
【００３６】
【図１】利用者監視システムの全体構成
【図２】利用者監視デシステム１の大まかな処理の流れ
【図３】利用者監視システム１の詳細な構成図
【符号の説明】
【００３７】
１  利用者監視システム
１００  情報処理装置
１１０  利用開始情報受付手段
１２０  監視依頼手段
１６０  不正利用防止手段
３００  監視サーバ装置
３２０  監視依頼受付手段
３３０  映像データ送信要求手段
３４０  監視映像データ受信手段
３５０  利用者人数認識処理手段
５００  ネットワークカメラ
３６０  不正利用防止指示手段
５１０  撮像手段
５２０  作成手段
５３０  映像データ送信要求受付手段
５４０  監視映像データ送信手段
【図１】
2007334618.tif 000003
【図２】
2007334618.tif 000004
【図３】
2007334618.tif 000005